(57)【特許請求の範囲】
【請求項１】
磁気テープを巻回した一対のテープリールを、上下カセットハーフ内に回転自在に支持し、リールロックばねによりリールロック方向に付勢されて前記テープリールの回動を防止するリールロック部材を備えた磁気テープカセットの組み立てに際し、前記リールロック部材を前記カセットハーフに組み込むための組込装置であって、
前記リールロック部材の先端に当接する本体と、
前記本体に相対移動可能に設けられ、前記リールロック部材及び一端を前記リールロック部材に装着された前記リールロックばねを前記本体との間に挟んだ状態で、前記リールロックばねの伸縮方向に沿って前記本体との間隔を狭める側に移動することにより、前記リールロックばねを圧縮しつつ挟持するとともに、上方に移動することにより圧縮したリールロックばねを解放するばね伸縮部と、
前記ばね伸縮部が前記リールロック部材及び前記リールロックばねを前記本体との間に挟持するのに連動して、前記リールロック部材を前記本体との間に挟持するとともに、前記リールロックばねの上方への移動を規制するばね押さえ部と、
前記本体に一対、水平方向に沿ってそれぞれ移動可能に設けられ、相互の間隔を狭める側に移動することにより、前記リールロック部材のリール係止アームを水平方向両側から押さえつつ前記リールロック部材を把持するリール係止アーム把持部と、
を備えたことを特徴とするリールロック部材組込装置。
【請求項２】
磁気テープを巻回した一対のテープリールを、上下カセットハーフ内に回転自在に支持し、リールロックばねによりリールロック方向に付勢されて前記テープリールの回動を防止するリールロック部材を備えた磁気テープカセットの組み立てに際し、前記リールロック部材を前記カセットハーフに組み込むためのパレットであって、
前記下カセットハーフを収容するパレット本体に、
前記パレット本体に収容した前記下カセットハーフのリールロック解除用貫通孔を介して、前記下カセットハーフに組み込まれた前記リールロック部材の嵌入穴に嵌入されることにより、前記リールロック部材を前記リールロックばねが所定量圧縮された状態の非ロック位置に保持するリールロック部材位置決め用突起を備えたことを特徴とするリールロック部材組込用パレット。
【発明の詳細な説明】
【０００１】
【発明の属する技術分野】
本発明は、磁気テープを巻回した一対のテープリールを、上下のカセットハーフからなるカセットケース内に回転自在に支持したディジタルビデオカセット（ＤＶＣ）等の磁気テープカセットに関し、詳しくは各テープリールをロックするためのリールロック部材及びリールロックばねを下カセットハーフに組み込むための組込装置、及びリールロック部材の組み込みに際して、下カセットハーフを収容しておくためのパレットに関する。
【０００２】
【従来の技術】
一般に、オーディオ機器やビデオ機器等においては、一対のテープリールに巻回した磁気テープを、カセットハーフ内に走行可能に保持して記録再生を行う磁気テープカセットが多用されている。
図２０を参照すると、従来、例えばＤＶＣ用として用いられる磁気テープカセット３０として、磁気テープ（図示しない）を巻回した一対のテープリール３１を、上カセットハーフ３２と対をなす下カセットハーフ３３内に、回動自在に支持したものがある。
【０００３】
下カセットハーフ３３における図２０中手前側の開口部３４両側にはそれぞれ、テープガイド３５が設けられる。各テープガイド３５はそれぞれ、一方のテープリール３１から送出されて他方のテープリール３１に巻き取られる磁気テープを案内し、磁気テープを前記開口部３４における所定の位置を通過させる。
【０００４】
また、下カセットハーフ３３における後方側には、テープリール係止アーム１５を有するテープリールロック部材１２が設けられる。テープリールロック部材１２は、圧縮コイルばね１４によって付勢されることにより、テープリール係止アーム１５を各テープリール３１の外周に形成された係合歯４０に係合させ、各テープリール３１の不測の回転を阻止する。これにより磁気テープの巻き緩み等を防止する。
【０００５】
一方、上カセットハーフ３２には、下カセットハーフ３３の開口部３４を覆うアウターリッド４１、アッパーリッド４２及びインナーリッド４３がそれぞれ、開閉自在に取り付けられる。
アウターリッド４１の側板４４には、ロックピン４５が突設される。ロックピンは、下カセットハーフ３３に回動自在に設けられたリッドロック４６に係止される。
【０００６】
また上カセットハーフ３２には、一対のリール付勢用板ばね４７が、各テープリール３１毎に設けられる。各リール付勢用板ばね４７はそれぞれ、基端部４８に形成された貫通孔４９を、上カセットハーフ３２のボス部（図示しない）に嵌挿された状態で、ボス部を溶着される。これにより各リール付勢用板ばね４７はそれぞれ、上カセットハーフ３２に片持支持され、対応するテープリール３１をそれぞれ所定の側に付勢する。
【０００７】
従来、下カセットハーフに、テープリールを係止するためのリールロック部材及びリールロックばねを組み込む作業は、リールロックばねを圧縮した状態を維持して組み込む必要があり、人手に頼っている。すなわち作業者は、リールロック部材にリールロックばねの一端を装着するとともに、当該リールロック部材を、リールロックばねを圧縮しつつ指先等で把持する。そして、リールロック部材及びリールロックばねを、下カセットハーフのリールロック部材取付溝内に位置させた状態で、リールロックばねを解放することにより、組み込む。
【０００８】
【発明が解決しようとする課題】
上述したように従来、リールロック部材及びリールロックばねを下カセットハーフに組み込む作業は、組込装置による自動化が困難なため、人手に頼っている。また、下カセットハーフにリールロックばねを組み込んだ後、下カセットハーフを搬送して流れ作業でその後の組み込み作業を行う際に、リールロックばねの圧縮状態が安定して維持されず、リールロックばねが不測に外れてしまうことがある。
【０００９】
本発明の目的は、リールロック部材及びリールロックばねを下カセットハーフに組み込む作業を安定して行うことができ、組込作業中にリールロックばねが不測に外れることがなく、自動組込装置に適用して安定した組込作業が可能なリールロック部材組込装置及びパレットを提供することにある。
【００１０】
【課題を解決するための手段】
本発明の上記目的は、磁気テープを巻回した一対のテープリールを、上下カセットハーフ内に回転自在に支持し、リールロックばねによりリールロック方向に付勢されて前記テープリールの回動を防止するリールロック部材を備えた磁気テープカセットの組み立てに際し、前記リールロック部材を前記カセットハーフに組み込むための組込装置であって、前記リールロック部材の先端に当接する本体と、前記本体に相対移動可能に設けられ、前記リールロック部材及び一端を前記リールロック部材に装着された前記リールロックばねを前記本体との間に挟んだ状態で、前記リールロックばねの伸縮方向に沿って前記本体との間隔を狭める側に移動することにより、前記リールロックばねを圧縮しつつ挟持するとともに、上方に移動することにより圧縮したリールロックばねを解放するばね伸縮部と、前記ばね伸縮部が前記リールロック部材及び前記リールロックばねを前記本体との間に挟持するのに連動して、前記リールロック部材を前記本体との間に挟持するとともに、前記リールロックばねの上方への移動を規制するばね押さえ部と、前記本体に一対、水平方向に沿ってそれぞれ移動可能に設けられ、相互の間隔を狭める側に移動することにより、前記リールロック部材のリール係止アームを水平方向両側から押さえつつ前記リールロック部材を把持するリール係止アーム把持部と、を備えたことを特徴とするリールロック部材組込装置により達成される。
【００１１】
また、本発明の上記目的は、磁気テープを巻回した一対のテープリールを、上下カセットハーフ内に回転自在に支持し、リールロックばねによりリールロック方向に付勢されて前記テープリールの回動を防止するリールロック部材を備えた磁気テープカセットの組み立てに際し、前記リールロック部材を前記カセットハーフに組み込むためのパレットであって、前記下カセットハーフを収容するパレット本体に、前記パレット本体に収容した前記下カセットハーフのリールロック解除用貫通孔を介して、前記下カセットハーフに組み込まれた前記リールロック部材の嵌入穴に嵌入されることにより、前記リールロック部材を前記リールロックばねが所定量圧縮された状態の非ロック位置に保持するリールロック部材位置決め用突起を備えたことを特徴とするリールロック部材組込用パレットにより達成される。
【００１２】
【作用】
本発明に係るリールロック部材組込装置において、ばね伸縮部は、リールロック部材及び一端をリールロック部材に装着されたリールロックばねを、本体との間に挟んだ状態で、リールロックばねの伸縮方向に沿って本体との間隔を狭める側に移動する。これによりばね伸縮部は、リールロックばねを圧縮しつつ、リールロック部材及びリールロックばねをリールロックばねの伸縮方向から本体との間に挟持する。またばね伸縮部は、上方に移動することにより、圧縮したリールロックばねを解放する。
ばね押さえ部は、ばね伸縮部がリールロック部材及びリールロックばねを本体との間に挟持するのに連動して、リールロック部材をリールロックばねの伸縮方向に沿って本体との間に挟持するとともに、リールロックばねの上方への移動を規制する。したがって、リールロックばねを装着されたリールロック部材を組込中に、リールロック部材が圧縮状態を安定して維持されるので、リールロックばねが上方に向けて撓んで外れることがなく、確実な組込作業を行える。
一対のリール係止アーム把持部はそれぞれ、相互の間隔を狭める側に移動することにより、リールロック部材のリール係止アームを、水平方向両側から押さえつつ、リールロック部材を把持する。
【００１３】
本発明に係るリールロック部材組込用パレットにおいて、パレット本体における所定の位置に設けられたリールロック部材位置決め用突起は、パレット本体に収容した下カセットハーフのリールロック解除用貫通孔を介して、下カセットハーフに組み込まれたリールロック部材の嵌入穴に嵌入される。これによりリールロック部材位置決め用突起は、リールロック部材を、リールロックばねが所定量圧縮された状態の非ロック位置に保持する。したがって、リールロック部材がリールロックばねによる付勢力を受けていても鉛直面内で回動せず、リールロックばねが圧縮状態を安定して維持されるので、リールロックばねが外れることがなく、確実な組込作業を行える。
【００１４】
【発明の実施の形態】
以下図示実施形態により、本発明を説明する。
図１は、磁気テープカセットの下カセットハーフを示す要部平面図である。図２は、図１の磁気テープカセットの下カセットハーフに組み込まれるリールロック部材の平面図である。図３は、図２のリールロック部材の側面図であり、図４は、図３のリールロック部材のＡ矢視正面図である。
【００１５】
図５は、本発明の一実施形態であるリールロック部材組込装置を示す概略側面図であり、図６は、本発明の一実施形態である下カセットハーフ用パレットを示す概略斜視図である。
【００１６】
図７〜図１２は、図５に示す組込装置及び図６に示すパレットを用いて、図１に示す下カセットハーフにリールロック部材及びリールロックばねを組み込む過程を示す概略側面図である。
すなわち図７は、組込装置にリールロック部材及びリールロックばねを装着した状態を示しており、図８は、図７に示す状態からリールロックばねを圧縮するとともに、リールロック部材を把持した状態を示す。図９は、図８に示す状態からリールロック部材及びリールロックばねを下カセットハーフのリールロック部材取付溝内に移動させた状態を示しており、図１０は、図９に示す状態からリールロックばねを解放した状態を示す。図１１は、図１０に示す状態から組込装置の各部を初期位置に戻した状態を示しており、図１２は、図１１に示す状態から組込装置を離脱させた状態を示す。
【００１７】
図１３〜図１７は、図７〜図１２に示す組み込み過程中、組込装置のリール係止アーム把持部によってリールロック部材のリール係止アームを把持する過程を示す概略正面図である。
すなわち図１３は、組込装置にリールロック部材を装着する前の状態を示しており、図１４は、組込装置のリール係止アーム把持部によって、リールロック部材を把持する前の状態を示す。図１５は、図１４に示す状態からリール係止アーム把持部によってリールロック部材を把持した状態を示しており、図１６は、図１５に示す状態からリールロック部材及びリールロックばねを下カセットハーフのリールロック部材取付溝内に移動した状態を示す。図１７は、図１６に示す状態から組込装置を離脱させた状態を示す。
【００１８】
最初に、図１〜図４を参照して、磁気テープカセット１０、リールロック部材１２及びリールロックばね１４について説明する。
磁気テープカセット１０の下カセットハーフ１１には、リールロック部材１２が設けられる。リールロック部材１２は、下カセットハーフ１１のリールロック部材取付溝１３内に組み込まれた状態で、リールロックばね１４によって図２中右方（図１中上方）に付勢されている。リールロック部材１２の図２中上下両側には、一対のリール係止アーム１５が突設されている。各リール係止アーム１５はそれぞれ、リールロック部材１２がリールロックばね１４の伸長したロック位置にある状態で、磁気テープカセット１０の一対のテープリール（図示しない）を係止する。リールロック部材１２のロック状態を解除するには、記録再生装置に備えたリールロック解除ピンが、下ハーフケース３３のリールロック解除用貫通孔９（図１、図２０参照）を介してリールロック部材１２の嵌合穴１２ａに嵌合してリールロック部材１２を後退させることによる。
【００１９】
下カセットハーフ１１の内面におけるリールロック部材取付溝１３の図１中左右両側の所定の位置には、一対のリール係止アーム押さえリブ１６が突設される。各リール係止アーム押さえリブ１６はそれぞれ、リールロック部材１２の各リール係止アーム１５の位置を規制する。各リール係止アーム押さえリブ１６の下カセットハーフ１１内面からの突出量は、各リール係止アーム押さえリブ１６の先端（図１６中上端）が組込装置２０のリール係止アーム把持部２４の先端に接触しないように（図１６参照）、設定されている。
【００２０】
次に、図５〜図８を参照して、本発明の一実施形態であるリールロック部材組込装置２０及び下カセットハーフ用パレット１３０について説明する。
図５及び図１３を参照すると、リールロック部材組込装置２０は、本体２１にばね伸縮部２２、ばね押さえ部２３及びリール係止アーム把持部２４を備えてなる。
【００２１】
ばね伸縮部２２は、本体２１の図５中左側に相対移動可能に設けられる。すなわちばね伸縮部２２は、ばね押さえ部２３とともに本体２１に対して図５中左右方向に相対移動可能であり、かつ、ばね押さえ部２３に対して図５中上下方向に相対移動可能である。
【００２２】
ばね伸縮部２２は、リールロック部材１２及び図５中右端部をリールロック部材１２に装着されたリールロックばね１４を、本体２１の図５中下端の左側面との間に挟んだ状態（図５及び図７に示す状態）で、リールロックばね１４の伸縮方向に沿って図７中右方に移動し、本体２１との間隔を狭める。これによりばね伸縮部２２は、リールロックばね１４を図７中右方に圧縮しつつ、リールロック部材１２及びリールロックばね１４を本体２１との間に挟持する（図８に示す状態）。
【００２３】
またばね伸縮部２２は、リールロックばね１４の伸縮方向と直交する図１０中上方に移動することにより、圧縮したリールロックばね１４を解放する（図１０に示す状態）。
ばね押さえ部２３は、本体２１の図５中左側に、ばね伸縮部２２に連動して本体２１に対して図５中左右方向に相対移動可能に設けられる。
【００２４】
ばね押さえ部２３は、ばね伸縮部２２がリールロック部材１２及びリールロックばね１４を本体２１との間に挟持するのに連動して、リールロック部材１２の上部１２ａをリールロックばね１４の伸縮方向に沿って本体２１との間に挟持する（図８に示す状態）。
またばね押さえ部２３は、ばね伸縮部２２によるリールロックばね１４の圧縮過程（図７及び図８）中、リールロックばね１４の図７中上方への移動を規制し、リールロックばね１４の図７中上方への飛び出し等を防止する。
【００２５】
リール係止アーム把持部２４は、本体２１の図１３中左右両側に一対、相互の間隔を変更可能に設けられる。各リール係止アーム把持部２４はそれぞれ、相互の間隔を狭めることにより、リールロック部材１２のリール係止アーム１５を、リールロックばね１４を図１３中左右両側から押さえつつ、リールロック部材１２を図１３中左右両側から把持する。
【００２６】
図６を参照すると、下カセットハーフ用パレット１３０は、下カセットハーフ１１を収容するパレット本体１３１の内面における所定の位置に、リールロック部材位置決め用突起１３２を設けてなる。下カセットハーフ用パレット１３０は、例えば上述したリールロック部材組込装置２０を用いて、下カセットハーフ１１にリールロック部材１２及びリールロックばね１４を組み込む際に、下カセットハーフ１１を収容しておく。
【００２７】
リールロック部材位置決め用突起１３２は、例えばリールロック部材組込装置２０を用いてリールロック部材１２及びリールロックばね１４が組み込まれる際、パレット本体１３１内に収容した下カセットハーフ１１のリールロック解除用貫通孔９（図１、図２０参照）を介して、下カセットハーフ１１上のリールロック部材１２の嵌入穴１２ｂに嵌入される（図９）。これによりリールロック部材位置決め用突起１３２は、リールロック部材１２を、リールロックばね１４が所定量圧縮された状態にある非ロック位置に保持する（図９〜図１２）。
【００２８】
本実施形態の作用を、図７〜図１７を参照して説明する。
最初に、リールロックばね１４の図３中右端部をリールロック部材１２の図７中左端部に装着した状態で、リールロック部材１２及びリールロックばね１４を、組込装置２０のばね伸縮部２２と本体２１との間に装着する（図７に示す状態）。なお、リールロック部材１２及びリールロックばね１４を組み込む下カセットハーフ１１は、あらかじめ下カセットハーフ用パレット１３０（図６参照）内に収容しておく。
【００２９】
次に、組込装置２０のばね伸縮部２２を、本体２１との間隔を狭める側（図７中右側）に移動させ、リールロックばね１４を図７中右方に圧縮しつつ、リールロック部材１２及びリールロックばね１４をリールロックばね１４の伸縮方向に沿って本体２１との間に挟持する（図８に示す状態）。
この際、ばね押さえ部２３が、図７中下面によってリールロックばね１４の図７中上方への移動を規制しつつ、ばね伸縮部２２に連動して本体２１との間隔を狭める側（図７中右側）に移動する。これによりばね押さえ部２３は、リールロック部材１２の上部１２ａをリールロックばね１４の伸縮方向に沿って本体２１との間に挟持するとともに、リールロックばね１４の飛び出し等を防止する。
【００３０】
更に、組込装置２０の各リール係止アーム把持部２４を、相互の間隔を狭める側に移動させ、リールロック部材１２のリール係止アーム１５を図１３中左右両側から押さえつつ、リールロック部材１２を各リール係止アーム把持部２４によって図１３中左右両側から把持する（図１３〜図１５）。
【００３１】
この状態で、下カセットハーフ用パレット１３０内に収容した下カセットハーフ１１のリールロック部材取付溝１３内に、組込装置２０によって把持したリールロック部材１２及びリールロックばね１４を移動させ、位置決めする（図９及び図１６に示す状態）。
この際、リールロック部材１２の嵌入孔には、下カセットハーフ１１の貫通孔を介して、パレット１３０のリールロック部材位置決め用突起１３２が嵌入される。これによりリールロック部材１２は、リールロックばね１４が所定量圧縮された状態の非ロック位置に保持される。
【００３２】
そして、組込装置２０のばね伸縮部２２を図１０中上方に移動させ、圧縮したリールロックばね１４を解放し、リールロックばね１４の図１０中左端部を下カセットハーフ１１の内側面に係合させる（図１０に示す状態）。
【００３３】
最後に、組込装置２０のばね伸縮部２２及びばね押さえ部２３を、本体２１との間隔を拡げる側（図１１中左方）に移動させ、初期位置に戻す（図１１）とともに、組込装置２０の各リール係止アーム把持部２４を、相互の間隔を拡げる側に移動させてリール係止アーム１５を解放する（図１６に示す状態）。そして、組込装置２０のみを下カセットハーフ１１から離脱させる（図１２及び図１７に示す状態）。
【００３４】
以上のように上記実施形態によれば、本体２１、ばね伸縮部２２、ばね押さえ部２３及びリール係止アーム把持部２４を備えたリールロック部材組込装置２０と、パレット本体１３１にリールロック部材位置決め用突起１３２を備えた下カセットハーフ用パレット１３０を用いることにより、リールロック部材１２及びリールロックばね１４を下カセットハーフ１１に組み込む作業を、極めて安定して行うことができる。
【００３５】
なお上記実施形態では、ばね伸縮部２２、ばね押さえ部２３及びリール係止アーム把持部２４を備えた組込装置２０として構成したが、これに限らない。すなわち例えば、ばね伸縮部２２及びばね押さえ部２３を備えた組込装置（図示しない）と、リール係止アーム把持部２４を備えた組込装置（図示しない）を別体として構成してもよい。
【００３６】
また図１８及び図１９に示すように、リールロック部材１２及びリールロックばね１４を組み込む磁気テープカセット１０の上カセットハーフ１７には、内面におけるリールロックばね１４に対向する所定の位置に、ばね押さえリブ１８を設けることが好ましい。
ばね押さえリブ１８は、リールロック部材１２が、リールロックばね１４の伸長したロック位置（図１８に示す状態）からリールロックばね１４の圧縮される非ロック位置（図１９に示す状態）にわたって、圧縮されるリールロックばね１４の図中上方への移動を規制し、リールロックばね１４の撓み等による図中上方への飛び出し等を確実に防止する。したがって、どのような使用状態においてもリールロックばね１４が不測に外れることがなく、リールロックばね１４の信頼性の高い作動が保証される。
【００３７】
【発明の効果】
以上のように本発明によれば、本体、ばね伸縮部、ばね押さえ部及びリール係止アーム把持部を備えたリールロック部材組込装置を用いることにより、リールロックばねの保持状態が安定するので不測に外れることがなく、リールロック部材及びリールロックばねを下カセットハーフに組み込む作業を安定して行うことができる。
本発明によれば、パレット本体にリールロック部材位置決め用突起を備えた下カセットハーフ用パレットを用いることにより、リールロックばねの装着状態が安定するので不測に外れることがなく、例えば前記組込装置を用いてリールロック部材及びリールロックばねを下カセットハーフに組み込む作業を、より安定して行うことができる。
【図面の簡単な説明】
【図１】本発明に係る磁気テープカセットの下カセットハーフを示す要部平面図である。
【図２】図１の磁気テープカセットの下カセットハーフに組み込まれるリールロック部材の平面図である。
【図３】図２のリールロック部材の側面図である。
【図４】図３のリールロック部材のＡ矢視正面図である。
【図５】本発明の一実施形態であるリールロック部材組込装置を示す概略側面図である。
【図６】本発明の一実施形態である下カセットハーフ用パレットを示す概略斜視図である。
【図７】図５に示す組込装置及び図６に示すパレットを用いて、下カセットハーフにリールロック部材及びリールロックばねを組み込む過程中、組込装置にリールロック部材及びリールロックばねを装着した状態を示す概略側面図である。
【図８】図７に示す状態からリールロックばねを圧縮するとともに、リールロック部材を把持した状態を示す概略側面図である。
【図９】図８に示す状態からリールロック部材及びリールロックばねを下カセットハーフのリールロック部材取付溝内に移動させた状態を示す概略側面図である。
【図１０】図９に示す状態からリールロックばねを解放した状態を示す概略側面図である。
【図１１】図１０に示す状態から組込装置の各部を初期位置に戻した状態を示す概略側面図である。
【図１２】図１１に示す状態から組込装置を離脱させた状態を示す概略側面図である。
【図１３】組込装置のリール係止アーム把持部によって、リールロック部材のリール係止アームを把持する過程中、組込装置にリールロック部材を装着する前の状態を示す概略正面図である。
【図１４】組込装置のリール係止アーム把持部によって、リールロック部材を把持する前の状態を示す概略正面図である。
【図１５】図１４に示す状態からリール係止アーム把持部によってリールロック部材を把持した状態を示す概略正面図である。
【図１６】図１５に示す状態からリールロック部材及びリールロックばねを下カセットハーフのリールロック部材取付溝内に移動した状態を示す概略正面図である。
【図１７】図１６に示す状態から組込装置を離脱させた状態を示す概略正面図である。
【図１８】リールロック部材及びリールロックばねを組み込んだ磁気テープカセットのリールロック部材がロック位置にある状態を示す要部概略断面図である。
【図１９】リールロック部材及びリールロックばねを組み込んだ磁気テープカセットのリールロック部材が非ロック位置にある状態を示す要部概略断面図である。
【図２０】本発明に係る磁気テープカセットの分解斜視図である。
【符号の説明】
９  リールロック解除用貫通孔
１０  磁気テープカセット
１１  下カセットハーフ
１２  リールロック部材
１２ａ  上部
１２ｂ  嵌入穴
１３  リールロック部材取付溝
１４  リールロックばね
１５  リール係止アーム
１６  リール係止アーム押さえリブ
２０  リールロック部材組込装置
２１  本体
２２  ばね伸縮部
２３  ばね押さえ部
２４  リール係止アーム把持部
１３０  下カセットハーフ用パレット
１３１  パレット本体
１３２  リールロック部材位置決め用突起
【図１】
0003763441.tif 000002
【図２】
0003763441.tif 000003
【図３】
0003763441.tif 000004
【図４】
0003763441.tif 000005
【図５】
0003763441.tif 000006
【図６】
0003763441.tif 000007
【図７】
0003763441.tif 000008
【図８】
0003763441.tif 000009
【図９】
0003763441.tif 000010
【図１０】
0003763441.tif 000011
【図１１】
0003763441.tif 000012
【図１２】
0003763441.tif 000013
【図１３】
0003763441.tif 000014
【図１４】
0003763441.tif 000015
【図１５】
0003763441.tif 000016
【図１６】
0003763441.tif 000017
【図１７】
0003763441.tif 000018
【図１８】
0003763441.tif 000019
【図１９】
0003763441.tif 000020
【図２０】
0003763441.tif 000021